(57)【要約】      （修正有）【課題】特に水耕栽培用の水位調整キャップ及び自動給水可能な栽培装置を提供する。【解決手段】自動給水可能な栽培装置は、外周面にねじ山が形成される首部を備えるペットボトル７を装着して用い、ベース２と、ベースに設置される栽培皿３と、注水座４１及び水位調整キャップ４２を備え、そのうち注水座はベースに設けられると共に、スリットが形成され、水位調整キャップは、着脱可能に注水座に組み合わせられ、ペットボトルの首部を挿設させるための本体４２１と、本体にペットボトルの内部と連通する注水穴が形成される、少なくとも１つの掛け座４を有し、その水位調整キャップをペットボトルに装着して注水座に組み合わせて、ペットボトルの内部の液体を注水穴を介して注水座に流出させ、スリットから近傍の栽培皿へ拡散させるものである。【選択図】図１
0003195296.tif 000002
【実用新案登録請求の範囲】
【請求項１】
外周面にねじ山が形成される首部を備えるペットボトルに装着して用いる、自動給水可能な栽培装置に使用するための水位調整キャップであって、
着脱可能にペットボトルに装着して用い、該ペットボトルの内部と連通する注水穴が形成される底皿を有し、該底皿は、注水穴が形成された注水端面と、該注水端面の外周縁にペットボトルに向かって延設され、内周面にペットボトルを螺合するためのねじ山が形成された周縁壁と、該周縁壁における、ペットボトル側の一端外周に当接凸縁が設けられることを特徴とする自動給水可能な栽培装置に使用するための水位調整キャップ。
【請求項２】
外周面にねじ山が形成される首部を備えるペットボトルを装着して用いる自動給水可能な栽培装置であって、
その自動給水可能な栽培装置は、ベースと、該ベースに設置される栽培皿と、注水座及び水位調整キャップを備え、そのうち注水座はベースに設けられると共に、スリットが形成され、該水位調整キャップは、着脱可能に注水座に組み合わせられ、ペットボトルの首部を挿設させるための本体と、該本体にペットボトルの内部と連通する注水穴が形成される、少なくとも１つの掛け座を有し、
その水位調整キャップをペットボトルに装着して注水座に組み合わせて、ペットボトルの内部の液体を注水穴を介して注水座に流出させ、スリットから近傍の栽培皿へ拡散させることを特徴とする自動給水可能な栽培装置。
【請求項３】
前記水位調整キャップの本体の内周面に、ペットボトルの首部と螺合するねじ山が形成され、該本体における注水穴の周縁に注水端面が設けられ、該注水端面の外周縁に周縁壁がペットボトルに向かって延設され、該周縁壁における、ペットボトル側の一端外周に当接凸縁が延設され、
その水位調整キャップを注水座に組み合わせる時に、当接凸縁が注水座に当接することを特徴とする請求項２に記載の自動給水可能な栽培装置。
【請求項４】
前記注水座に、上部周縁が平坦状を呈する管壁が形成され、該管壁における、栽培皿と反対する側にスリットが形成され、
前記水位調整キャップの本体が管壁の内部に挿設されることを特徴とする請求項２に記載の自動給水可能な栽培装置。
【請求項５】
前記栽培皿は植え板を備え、該植え板の外周縁に、植え板から下方へ向かってフレームが延設され、該フレームにおける、スリット側に流入口が形成され、該植え板の下側とフレームとの間に収容空間が形成されることを特徴とする請求項２に記載の自動給水可能な栽培装置。
【請求項６】
前記掛け座はさらに、ペットボトルに入れるための調整ボールと、注水座と対応するようにベースに凸設される調整柱と、ペットボトルの首部に環装される弾性リングを有し、前記調整ボールは球状を呈し、ペットボトルの首部且つ水位調整キャップの本体の上方に位置しながら、移動可能に注水穴の開閉を制御し、前記弾性リングによって水位調整キャップがペットボトルの首部の外周面と隙間がないよう密着し、
また、水位調整キャップをペットボトルに装着して注水座に組み合わせる時、調整柱が注水穴を通過して調整ボールを注水穴から離間するように押し付くことを特徴とする請求項２に記載の自動給水可能な栽培装置。
【請求項７】
前記ベースの内周縁の上面に複数の組立穴が形成され、
さらに、両端がそれぞれ対応する組立穴に挿設され、ベースの上方で湾曲するように取り付けられる複数の骨組みと、ベースをカバーするように掛け座に掛けるカバーと、を有することを特徴とする請求項２に記載の自動給水可能な栽培装置。
【請求項８】
前記ベースの上部に着脱可能に取り付けられる鉢を有し、
前記栽培皿が鉢の上部に取り付けられ、
前記掛け座の注水座は、ベースの表面に凹むように設けられ、管壁の上周縁がベースの上面と同等の高さを有し、管壁の底面に通水面が形成され、該通水面に鉢の内部と連通する少なくとも１つの通水穴が形成され、ペットボトル内部の液体を注水座の通水穴を介して鉢に注入することを特徴とする請求項２に記載の自動給水可能な栽培装置。
【請求項９】
前記注水座の管壁の内周面に、上周縁が平坦状を呈する保持凸縁が設けられ、
その水位調整キャップを注水座に組み合わせる時、該水位調整キャップが保持凸縁に当接しながら位置決められることを特徴とする請求項２に記載の自動給水可能な栽培装置。
【請求項１０】
前記ベースは、底皿を備え、該底皿における、栽培皿の中心と対応する箇所に支え柱が凸設され、該支え柱によって栽培皿の中心を支持することを特徴とする請求項２に記載の自動給水可能な栽培装置。
【考案の詳細な説明】
【技術分野】
【０００１】
本考案は、特に水耕栽培用の水位調整キャップ及び自動給水可能な栽培装置に関するものである。
【背景技術】
【０００２】
近年においては、環境汚染や農薬残留の問題が急激に悪化していることから、無農薬や、無肥料、無化学肥料の栽培技術によるもやしの栽培が流行している。
しかしながら、もやしの栽培には、水を供給し続けると共に、かなり工夫が必要となり、万一、自宅で栽培中に水やりを忘れてしまうと、もやしが枯れてしまう可能性がある。
【考案の概要】
【考案が解決しようとする課題】
【０００３】
既存の栽培技術においては、水の適度な供給を継続的に行い、もやしを上手に栽培することは難しいこいとから、更に改良する必要があった。
【課題を解決するための手段】
【０００４】
本考案に係る自動給水可能な栽培装置に使用するための水位調整キャップは、外周面にねじ山が形成される首部を備えるペットボトルに装着して用い、
着脱可能にペットボトルに装着して用い、該ペットボトルの内部と連通する注水穴が形成される底皿を有し、該底皿は、注水穴が形成された注水端面と、該注水端面の外周縁にペットボトルに向かって延設され、内周面にペットボトルを螺合するためのねじ山が形成された周縁壁と、該周縁壁における、ペットボトル側の一端外周に当接凸縁が設けられるものである。
【０００５】
一方、本考案に係る自動給水可能な栽培装置は、外周面にねじ山が形成される首部を備えるペットボトルを装着して用いるものであり、その自動給水可能な栽培装置は、ベースと、該ベースに設置される栽培皿と、注水座及び水位調整キャップを備え、そのうち注水座はベースに設けられると共に、スリットが形成され、該水位調整キャップは、着脱可能に注水座に組み合わせられ、ペットボトルの首部を挿設させるための本体と、該本体にペットボトルの内部と連通する注水穴が形成される、少なくとも１つの掛け座を有し、
その水位調整キャップをペットボトルに装着して注水座に組み合わせて、ペットボトルの内部の液体を注水穴を介して注水座に流出させ、スリットから近傍の栽培皿へ拡散させるものである。
【０００６】
かかる自動給水可能な栽培装置において、前記水位調整キャップの本体の内周面に、ペットボトルの首部と螺合するねじ山が形成され、該本体における注水穴の周縁に注水端面が設けられ、該注水端面の外周縁に周縁壁がペットボトルに向かって延設され、該周縁壁における、ペットボトル側の一端外周に当接凸縁が延設され、
その水位調整キャップを注水座に組み合わせる時に、当接凸縁が注水座に当接することが好ましい。
【０００７】
かかる自動給水可能な栽培装置において、前記注水座に、上部周縁が平坦状を呈する管壁が形成され、該管壁における、栽培皿と反対する側にスリットが形成され、
前記水位調整キャップの本体が管壁の内部に挿設されることが好ましい。
【０００８】
かかる自動給水可能な栽培装置において、前記栽培皿は植え板を備え、該植え板の外周縁に、植え板から下方へ向かってフレームが延設され、該フレームにおける、スリット側に流入口が形成され、該植え板の下側とフレームとの間に収容空間が形成されることが好ましい。
【０００９】
かかる自動給水可能な栽培装置において、前記掛け座はさらに、ペットボトルに入れるための調整ボールと、注水座と対応するようにベースに凸設される調整柱と、ペットボトルの首部に環装される弾性リングを有し、前記調整ボールは球状を呈し、ペットボトルの首部且つ水位調整キャップの本体の上方に位置しながら、移動可能に注水穴の開閉を制御し、前記弾性リングによって水位調整キャップがペットボトルの首部の外周面と隙間がないよう密着し、
また、水位調整キャップをペットボトルに装着して注水座に組み合わせる時、調整柱が注水穴を通過して調整ボールを注水穴から離間するように押し付くことが好ましい。
【００１０】
かかる自動給水可能な栽培装置において、前記ベースの内周縁の上面に複数の組立穴が形成され、
さらに、両端がそれぞれ対応する組立穴に挿設され、ベースの上方で湾曲するように取り付けられる複数の骨組みと、ベースをカバーするように掛け座に掛けるカバーと、を有することが好ましい。
【００１１】
かかる自動給水可能な栽培装置において、前記ベースの上部に着脱可能に取り付けられる鉢を有し、
前記栽培皿が鉢の上部に取り付けられ、
前記掛け座の注水座は、ベースの表面に凹むように設けられ、管壁の上周縁がベースの上面と同等の高さを有し、管壁の底面に通水面が形成され、該通水面に鉢の内部と連通する少なくとも１つの通水穴が形成され、ペットボトル内部の液体を注水座の通水穴を介して鉢に注入することが好ましい。
【００１２】
かかる自動給水可能な栽培装置において、前記注水座の管壁の内周面に、上周縁が平坦状を呈する保持凸縁が設けられ、
その水位調整キャップを注水座に組み合わせる時、該水位調整キャップが保持凸縁に当接しながら位置決められることが好ましい。
【００１３】
かかる自動給水可能な栽培装置において、前記ベースは、底皿を備え、該底皿における、栽培皿の中心と対応する箇所に支え柱が凸設され、該支え柱によって栽培皿の中心を支持することが好ましい。
【考案の効果】
【００１４】
前記の構造を有することから、使用者が水位調整キャップ４２をペットボトル７の首部７１に螺合してペットボトル７を逆さにして注水座４１に挿設すれば、簡単に栽培装置を設定できることから、ペットボトル内部の液体が外部及び内部の圧力を自動的にバランスよく調整しながら、液体を出したり止めたりすることができる。また、その水位調整キャップは、国際規格であることから、如何なるサイズのペットボトルにも簡単に装着することができる。
【図面の簡単な説明】
【００１５】
【図１】本考案に係る自動給水可能な栽培装置における第一実施例の第一態様の部分分解斜視図である。
【図２】本考案に係る自動給水可能な栽培装置における第一実施例の第一態様の部分拡大断面図である。
【図３】本考案に係る自動給水可能な栽培装置における第一実施例の第一態様の他の部分拡大断面図である。
【図４】本考案に係る自動給水可能な栽培装置における第一実施例の第二態様の部分拡大断面図である。
【図５】本考案に係る自動給水可能な栽培装置における第一実施例の第三態様の部分拡大断面図である。
【図６】本考案に係る自動給水可能な栽培装置における第一実施例の第四態様の部分分解図である。
【図７】本考案に係る自動給水可能な栽培装置における第二実施例の部分分解斜視図である。
【図８】本考案に係る自動給水可能な栽培装置における第三実施例の部分分解斜視図である。
【図９】本考案に係る自動給水可能な栽培装置における第四実施例の部分分解斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１乃至図３は、本考案に係る自動給水可能な栽培装置における第一実施例の第一態様であり、この第一実施例の第一態様においては、２本のペットボトル７を装着して使用するタイプであり、更に、ベース２と、栽培皿３と、２つの掛け座４と、フタ５とを有し、該ペットボトル７の首部７１の外周面にねじ山が形成され、該栽培皿３はベース２に設置され、該フタ５は、上部が狭くしながら下部が広くする台形のカバーで、中空状を呈し、その底部に開口が形成される。
【００１８】
前記栽培皿３は、網状の植え板３１を備え、該植え板３１の外周縁にフレーム３２が設けられ、該フレーム３２は、植え板３１の周縁からやや外側へ延出してから下方へ伸びる形状を呈し、また、該フレーム３２は、Ｕ字形を呈し、その一側に流入口３２１が形成される。
【００１９】
本実施例においては、２つの掛け座４を有し、それら掛け座４にそれぞれペットボトル７を装着して使用する。尚、他の実施例においても示されているが、必要に応じて、使用者がその掛け座４またはペットボトル７の数を自由に変更しても構わない。すなわち、その掛け座４またはペットボトル７の数は、その植物に必要な水量または栽培空間などの条件によって、適当かつ自由に変更することが好ましい。
【００２０】
前記掛け座４はそれぞれ、ベース２の上面に、且つ栽培皿３の一側に設けられ、注水座４１と、水位調整キャップ４２と、調整ボール４３と、調整柱４４とを備え、該注水座４１は、上周縁が平坦状を呈する、縦方向の略円筒状の管壁４１１を有し、該管壁４１１の底端がベース２の上面に連結され、該管壁４１１における、栽培皿３の流入口３２１と反対する側にスリット４１２が形成される。
【００２１】
前記水位調整キャップ４２は、本体４２１を備えると共に、管壁４１１の上部に位置するように、着脱可能に注水座４１に組み合わせられ、該本体４２１は管壁４１１の内部に設置され、該本体４２１の内周面にペットボトル７の首部７１と螺合するねじ山が形成され、該本体４２１の上端周縁に当接凸縁４２２が外側へ向かって延設され、更に、該本体４２１にペットボトル７の内部と連通する注水穴４２３が形成される。
尚、本実施例における当接凸縁４２２は、本体４２１の外周面から外側へ向かって延設された環状のフランジであるが、他の実施例においては、必要に応じて、方形や、三角形、ハート形など、如何なる形にしてもよい。
また、その本体４２１における注水穴４２３の周縁に注水端面４２４が設けられると共に、該本体４２１における注水端面４２４の外周縁に周縁壁４２５がペットボトル７に向かって延設され、なお、該当接凸縁４２２は、周縁壁４２５のペットボトル７と接近した一端に設けられる。
【００２２】
前記調整ボール４３は、球状を呈し、前記調整柱４４は、ベース２の注水座４１と対応する箇所に凸設される。
この構成においては、その調整ボール４３をペットボトル７に入れて、水位調整キャップ４２をペットボトル７の首部７１に螺合し、その後、ペットボトル７を逆さにして、調整柱４４を水位調整キャップ４２の注水穴４２３を挿し込む。この時、調整ボール４３を首部７１及び水位調整キャップ４２の本体４２１の上方に位置させながら、調整柱４４により調整ボール４３が注水穴４２３から離れるように押し付ける。
【００２３】
前記フタ５は、複数の通気穴５１を有し、ベース２をカバーするように、着脱可能にベース２に組み合わせられる。このフタ５を用いれば、栽培皿３にあるたね８にほこりが積るのを防止すると共に、虫がたね８または芽を食べてしまうなどの問題も解決できる。
【００２４】
前記ペットボトル７を栽培装置に装着して用いる時は、まずたね８に供給するための液体をペットボトル７に注入すると共に、調整ボール４３をペットボトル７に入れた後、水位調整キャップ４２をペットボトル７の首部７１に環装してからペットボトル７を逆さにして、注水座４１に挿設する。この構成によれば、調整柱４４が注水穴４２３から進入して調整ボール４３が注水穴４２３から離れるように押し付けることから、ペットボトル７内の液体が注水穴４２３を介して注水座４１からスリット４１２を通って栽培皿３へ送ることができる。
このように、水位調整キャップ４２の本体４２１は管壁４１１の上周縁と当接することから、ペットボトル７を逆さの状態に位置決めることができる。
また、本考案においては、注水座４１のスリット４１２が栽培皿３と反対する側に形成されていることから、たね８の根が伸びてもスリット４１２を詰まらせることはないので、適切な量の液体を常に供給し続けることができる。
【００２５】
更に、本実施例においては、その調整ボール４３及び調整柱４４を有することにより、ペットボトル７内の液体をスムーズに送り出しているが、他の実施例においては、必ずしもその調整ボール４３及び調整柱４４を用いる必要はない。
【００２６】
図３に示すように、もやしのたね８を栽培皿３にまき、根がまだ伸びていない栽培初期においては、浸水布９をたね８に被せ、それが栽培皿３の下方の液体を吸い取ってたね８に供給し、また、フレーム３２が浸水布９を支えることから、浸水布９によって液体を吸い取ってたね８にガイドすることができ、多くのたね８でも液体を充分に供給でき、供水効果に優れる。また、もやしのたね８の根が伸びた後は、根により液体を吸収することができるので、浸水布９を使用しなくても構わない。
【００２７】
本考案における第一実施例は、図１乃至図３に示すように、上述した構造を有することから、以下に示すようなメリットを有する。
１．ペットボトル７を栽培装置に装着すると、自動的に給水され、ベース２の水位が注水穴４２３より高くなると、外部の気圧及びベース２の水圧とペットボトル７内の水圧とのバランスがとれ、ペットボトル７の給水が止まる。更に、ベース２の水位が注水穴４２３より低くなると、ペットボトル７内の液体が注水穴４２３から近傍の栽培皿３へ拡散し、たね８に給水する。
この構成によれば、使用者が定期的に水やりを行う必要がなくなると共に、水位調整キャップ４２をペットボトル７に取り付けて栽培装置に装着すれば、自動的に給水してもやしを簡単に栽培できるので、使用上に非常に便利である。
【００２８】
２．本実施例の水位調整キャップ４２は、内周面に国際規格のねじ山が形成されていることから、如何なるサイズのペットボトルにも適用できる。
この構成によれば、使用者は必要に応じて、大水量を要する場合に、サイズ大きいペットボトルを使用し、小水量でよい場合には、サイズの小さなペットボトルを使用すればよく、途中でサイズ異なるペットボトルも交換することもできる。
【００２９】
３．本実施例のフタ５は、中空状で上部が狭くて下部が広い台形のカバーであることから、複数のフタ５を次々重ねて空間節約のように収納することができ、搬送や収納時には非常に便利であり、搬送や収納のコストを低減できる。
【００３０】
本考案に係る自動給水可能な栽培装置の第一実施例においては、図１乃至図３の第一態様を有するだけではなく、以下に示すように、図４の第二態様や、図５の第三態様、図６の第四態様も有する。
【００３１】
図４は、第一実施例における第二態様を示すものであり、この態様は、殆ど第一態様と同一であるが、水位調整キャップ４２の当接凸縁４２２を有しないと共に、注水座４１の管壁４１１の内周面下部に、上周縁が平坦状を呈する保持凸縁４１３が設けられる点において異なる。
この構成によれば、水位調整キャップ４２をペットボトル７の首部７１に取り付けてペットボトル７を逆さにして注水座４１に装着する時、水位調整キャップ４２の本体４２１が管壁４１１の保持凸縁４１３に当接しながらペットボトル７を位置決め、さらに、その保持凸縁４１３の上周縁が平坦状を呈することから、ペットボトル７をしっかりと保持することができる。
【００３２】
図５は、第一実施例における第三態様を示すものであり、この態様は、殆ど第一態様と同一であるが、水位調整キャップ４２の内周面にねじ山が設けられないと共に、ペットボトル７の首部７１に環設するための弾性リング４５が設置される点において異なる。尚、前記弾性リング４５は、プラスチック材質、ゴム、発泡素材、或いはスポンジなどの素材からなることが好ましい。
この構成によれば、その水位調整キャップ４２をペットボトル７の首部７１に装着する時に、まず弾性リング４５をペットボトル７の首部７１に環装してから水位調整キャップ４２をさらに、首部７１及び弾性リング４５に環装することから、水位調整キャップ４２が弾性リング４５を介して首部７１の外周面と密着するので、水漏れなどの問題を防止することができる。
【００３３】
図６は、第一実施例における第四態様を示すものであり、この態様は、殆ど第一態様と同一であるが、ベース２及び栽培皿３の構成が異なる。
この構成によると、そのベース２は、底皿２１を備え、該底皿２１における、栽培皿３の中心と対応する箇所に支え柱２２が凸設され、該支え柱２２によって栽培皿３の中心部を支持するので、栽培皿３が荷重を受けても、窪んだり、変形することはない。
また、前記栽培皿３の相対する両側にそれぞれ下方へ向かってフレーム３２が延設され、植え板３１の外周縁にもフランジが延設される。そのため、該植え板３１の下側と２枚の側壁とに囲まれる箇所に収容空間３３が形成される。
この態様によれば、たね８の栽培初期において、隅部９１から栽培皿３の下方の液体を吸い取ることができる浸水布９を栽培皿３に被せて、たね８に充分な液体を供給することができる。
【００３４】
図７に示すように、本考案に係る第二実施例は、殆ど第一実施例の第一態様と同一であるが、掛け座４に調整ボール４３及び調整柱４４を有しない点において異なり、調整ボール４３及び調整柱４４を有しなくても自動的に給水することができる。その給水原理及び効果は、第一実施例と同様であることから、ここでの説明を省略する。
【００３５】
図８に示すように、本考案に係る第三実施例は、殆ど第一実施例の第一態様と同一であるが、フタ５を有しないと共に、複数の骨組み２４及びカバー２５が設置される点において異なる。
この構成によれば、ベース２の内周縁の上面に複数の組立穴２３が形成される。尚、それら組立穴２３はそれぞれ、ベース２の内周縁の相対する側の上面に形成されることが好ましい。また、前記各骨組み２４の長さはそれぞれ、相対する２つの組立穴２３の距離より長く、組立て時には、骨組み２４における両端がそれぞれ、相対すると共に対応する組立穴２３に挿設され、その中間がベース２の上方で湾曲するように取り付けられる。また、前記カバー２５は、ベース２をカバーするように掛け座４に掛けられることから、カバー２５によって、第一実施例のフタ５と同様の効果を達成できるので、培皿３にあるたね８にほこりが積ることを防止できると共に、虫がたね８または芽を食べてしまう虞もない。
その給水原理及び効果は、第一実施例と同様であることから、ここでの説明を省略する。
【００３６】
図９に示すように、第四実施例は、殆ど第三実施例と同一であるが、ベース２及び掛け座４の構造が異なると共に、ベース２の底部に鉢６が設置される。
この構成によると、前記鉢６は、透明の容器であり、上部に開口が形成され、前記ベース２は、該鉢６の内部と連通するように底部が中空状を呈し、鉢６の上部に取り付けられ、前記栽培皿３の網状の穴も該鉢６と連通する。また、前記掛け座４の注水座４１は、ベース２の表面から下方へ窪むように設けられ、管壁４１１の上周縁はベース２の上面に位置すると共に、管壁４１１の底面に通水面４１４が形成され、該通水面４１４に鉢６の内部と連通する少なくとも１つの通水穴４１５が形成される。尚、本実施例における水位調整キャップ４２の当接凸縁４２２はハード形であってもよい。
このように、この実施例の使用方法は殆ど第三実施例と同様であるが、ペットボトル７内の液体を、注水座４１の通水穴４１５から鉢６へ給水することができる。
また、本実施例の鉢６によれば、さらに貯水機能を備えるので、ペットボトル７に液体を頻繁に充填することは不要で時間を節約する。更に、その鉢６は透明であることから、もやしを栽培しながら根の成長状況も観察でき、或いは、金魚や熱帯魚を飼育して観賞することもできる。
【００３７】
本考案に係る自動給水可能な栽培装置を用いれば、もやしの栽培を自宅でも手軽にでき、且つ栽培空間も節約することができ、また、本考案の水位調整キャップ４２は、国際規格であるので、如何なるサイズのポットベトルにも試用できるので、国際の市場において販売可能である。
【符号の説明】
【００３８】
２      ベース
２１    底板
２２    支え柱
２３    組立穴
２４    骨組み
２５    カバー
３      栽培皿
３１    植え板
３２    フレーム
３２１  流入口
３３    収容空間
４      掛け座
４１    注水座
４１１  管壁
４１２  スリット
４１３  保持凸縁
４１４  通水面
４１５  通水穴
４２    水位調整キャップ
４２１  本体
４２２  当接凸縁
４２３  注水穴
４２４  内凸縁
４２５  周壁
４３    調整ボール
４４    調整柱
４５    弾性リング
５      フタ
５１    通気穴
６      鉢
７      ペットボトル
７１    首部
８      たね
９      浸水布
９１    隅部
【図１】
0003195296.tif 000003
【図２】
0003195296.tif 000004
【図３】
0003195296.tif 000005
【図４】
0003195296.tif 000006
【図５】
0003195296.tif 000007
【図６】
0003195296.tif 000008
【図７】
0003195296.tif 000009
【図８】
0003195296.tif 000010
【図９】
0003195296.tif 000011